(57)【特許請求の範囲】
【請求項１】
反射型の表示媒体に照射される照射光の明るさを表す明るさ情報に基づいて、前記表示媒体に表示される画像の表示色のうち、グレアが発生する可能性がある予め定めた範囲の表示色について前記グレアの発生が抑制されるように、前記予め定めた範囲の表示色の濃度を制御する制御手段
を備えた表示媒体の駆動装置。
【請求項２】
前記制御手段は、前記明るさ情報で表される明るさの度合いが高くなるに従って、前記予め定めた範囲の表示色の濃度を高くする
請求項１記載の表示媒体の駆動装置。
【請求項３】
前記予め定めた範囲は、前記表示色の全濃度範囲のうち低濃度側の一部の濃度範囲であり、
前記制御手段は、前記明るさを表す明るさ情報に基づいて、前記一部の濃度範囲の表示色について前記グレアの発生が抑制されるように、前記一部の濃度範囲の表示色の濃度を制御する
請求項１又は請求項２記載の表示媒体の駆動装置。
【請求項４】
前記予め定めた範囲は、前記表示色の全濃度範囲であり、
前記制御手段は、前記明るさを表す明るさ情報に基づいて、前記全濃度範囲の表示色について前記グレアの発生が抑制されるように、前記全濃度範囲の濃度を制御する
請求項１又は請求項２記載の表示媒体の駆動装置。
【請求項５】
前記制御手段は、前記明るさを表す明るさ情報に基づいて、前記予め定めた範囲の表示色について前記グレアの発生が抑制されるように、前記予め定めた範囲の表示色について明暗補正及び前記画像のガンマ補正の少なくとも一方を実行する
請求項１〜４の何れか１項に記載の表示媒体の駆動装置。
【請求項６】
前記制御手段は、前記明るさ情報に基づいて、前記画像の色情報の入出力特性を補正することにより、前記明暗補正及び前記ガンマ補正の少なくとも一方を実行する
請求項１〜４の何れか１項に記載の表示媒体の駆動装置。
【請求項７】
前記予め定めた範囲の表示色は、白色を含む
請求項１〜６の何れか１項に記載の表示媒体の駆動装置。
【請求項８】
前記明るさを表す明るさ情報は、前記照射光の照度である
請求項１〜７の何れか１項に記載の表示媒体の駆動装置。
【請求項９】
前記明るさを表す明るさ情報は、前記表示媒体の設置場所の天気情報である
請求項１〜７の何れか１項に記載の表示媒体の駆動装置。
【請求項１０】
前記反射型の表示媒体は、一対の基板と、前記一対の基板間に封入された分散媒と、前記分散媒中に分散され且つ前記基板間に形成された電界に応じて前記基板間を移動するように前記基板間に封入された粒子群と、を備えた電気泳動型の表示媒体である
請求項１〜９の何れか１項に記載の表示媒体の駆動装置。
【請求項１１】
前記制御手段は、前記表示媒体の少なくとも一部の予め定めた領域に白色の画像を表示させ、前記明るさを表す明るさ情報は、前記領域に照射された前記照射光に対する反射光を検出するために設けられた照度センサにより検出された前記反射光の照度である
請求項１〜１０の何れか１項に記載の表示媒体の駆動装置。
【請求項１２】
前記表示媒体は、色が異なる複数の粒子群を含み、
前記制御手段は、前記表示媒体の少なくとも一部の予め定めた領域に前記複数の粒子群の色の画像を順次表示させ、前記明るさを表す明るさ情報は、前記領域に照射された前記照射光に対する反射光を検出するために設けられた照度センサにより順次検出された前記反射光の照度である
請求項１０記載の表示媒体の駆動装置。
【請求項１３】
前記表示媒体は、色が異なる複数の粒子群を含み、
前記制御手段は、前記表示媒体の少なくとも一部の予め定めた領域に前記複数の粒子群の色の画像を表示させ、前記明るさを表す明るさ情報は、前記領域に照射された前記照射光に対する反射光のうち前記複数の粒子群の色の各々に分光感度を有する照度センサにより各々検出された複数の反射光の照度である
請求項１０記載の表示媒体の駆動装置。
【請求項１４】
前記表示媒体が四角形状であると共に、前記予め定めた領域は前記表示媒体の四隅の領域を含み、
前記明るさを表す明るさ情報は、前記四隅の領域に各々照射された前記照射光に対する各反射光であって各々異なる方向からの反射光の照度である
請求項１１〜１３の何れか１項に記載の表示媒体の駆動装置。
【請求項１５】
コンピュータを、請求項１〜１４の何れか１項に記載の表示媒体の駆動装置を構成する各手段として機能させるための表示媒体の駆動プログラム。
【請求項１６】
反射型の表示媒体と、
請求項１〜１４の何れか１項に記載の表示媒体の駆動装置と、
を備えた表示装置。
【発明の詳細な説明】
【技術分野】
【０００１】
本発明は、表示媒体の駆動装置、表示媒体の駆動プログラム、及び表示装置に関する。
【背景技術】
【０００２】
特許文献１には、各画素の画素回路によって制御される電気泳動方式表示素子と、照度センサと、を具備する表示パネルと、前記照度センサで検出した照度に応じて、前記電気泳動方式表示素子による画像の階調表示を行うための画像信号を補正する回路を含む表示制御部と、を有する電子書籍が開示されている。
【０００３】
特許文献２には、外部から電源電圧と、暗さ調整のための第１制御信号の提供を受け前記第１制御信号に基づいて前記電源電圧のレベルを変更して第２制御信号を出力する電圧変更部と、前記第２制御信号の提供を受け暗さ調整のための多数の階調電圧を出力する階調電圧発生部と、走査信号を液晶パネルのゲートラインに出力するゲートドライバーと、画像データと前記階調電圧とに基づいて階調レベルが反映されたデータ信号を前記液晶パネルのデータラインに出力するデータドライバーと、を含む液晶表示装置が開示されている。
【０００４】
特許文献３には、表示パネルにデジタル映像信号に基づいた画像を表示する画像表示装置であって、前記表示パネルに表示する画像の平均輝度を検出する平均輝度検出部と、前記表示パネルに表示する画像の内、所定の閾値の輝度を超える部分高輝度の割合を検出する部分高輝度検出部と、前記平均輝度検出部で検出した平均輝度と前記部分高輝度検出部で検出した部分高輝度の割合とに基づいて前記表示パネルに表示する表示画像の明るさを制御する表示輝度制御部とを備えたことを特徴とする画像表示装置が開示されている。
【０００５】
特許文献４には、画像を表示させる液晶の画面を有する表示装置であって、前記画面を照明する複数の光源を有するバックライトと、前記複数の光源それぞれの光量を、前記画像の輝度に基づく基準よりも減少した光量に判定する第１判定手段と、判定された前記光量に基づいて前記バックライトを制御するバックライト制御手段と、前記画像の輝度を上げるための補正量を、前記光量の減少量に応じて導出する導出手段と、前記導出手段に導出された前記補正量で前記画像の輝度を上げる補正をした場合に、補正後の前記画像の輝度が第１閾値を超えるか否かを判定する第２判定手段と、補正後の前記画像の輝度が前記第１閾値を超えると判定された場合は、補正後の前記画像の輝度が前記第１閾値を超えないように前記補正量を低下する変更手段と、低下された前記補正量で前記画像の輝度を上げる補正を行う補正手段と、前記補正手段による補正後の前記画像を前記画面へ表示する表示制御手段とを備えたことを特徴とする表示装置が開示されている。
【先行技術文献】
【特許文献】
【０００６】
【特許文献１】特開２０１１−５３６６２号公報
【特許文献２】特開２００３−１８６４５５号公報
【特許文献３】特開２００９−２５１０６６号公報
【特許文献４】特開２０１１−２４８０６０号公報
【発明の概要】
【発明が解決しようとする課題】
【０００７】
本発明は、反射型の表示媒体に照射される照射光の明るさに応じて画像の濃度を制御しない場合と比較して、グレアの発生を抑制することができる表示媒体の駆動装置、表示媒体の駆動プログラム、及び表示装置を提供することを目的とする。
【課題を解決するための手段】
【０００８】
請求項１記載の発明の表示媒体の駆動装置は、反射型の表示媒体に照射される照射光の明るさを表す明るさ情報に基づいて、前記表示媒体に表示される画像の表示色のうち、グレアが発生する可能性がある予め定めた範囲の表示色について前記グレアの発生が抑制されるように、前記予め定めた範囲の表示色の濃度を制御する制御手段を備える。
【０００９】
請求項２記載の発明は、前記制御手段は、前記明るさ情報で表される明るさの度合いが高くなるに従って、前記予め定めた範囲の表示色の濃度を高くする。
【００１０】
請求項３記載の発明は、前記予め定めた範囲は、前記表示色の全濃度範囲のうち低濃度側の一部の濃度範囲であり、前記制御手段は、前記明るさを表す明るさ情報に基づいて、前記一部の濃度範囲の表示色について前記グレアの発生が抑制されるように、前記一部の濃度範囲の表示色の濃度を制御する。
【００１１】
請求項４記載の発明は、前記予め定めた範囲は、前記表示色の全濃度範囲であり、前記制御手段は、前記明るさを表す明るさ情報に基づいて、前記全濃度範囲の表示色について前記グレアの発生が抑制されるように、前記全濃度範囲の濃度を制御する。
【００１２】
請求項５記載の発明は、前記制御手段は、前記明るさを表す明るさ情報に基づいて、前記予め定めた範囲の表示色について前記グレアの発生が抑制されるように、前記予め定めた範囲の表示色について明暗補正及び前記画像のガンマ補正の少なくとも一方を実行する。
【００１３】
請求項６記載の発明は、前記制御手段は、前記明るさ情報に基づいて、前記画像の色情報の入出力特性を補正することにより、前記明暗補正及び前記ガンマ補正の少なくとも一方を実行する。
【００１４】
請求項７記載の発明は、前記予め定めた範囲の表示色は、白色を含む。
【００１５】
請求項８記載の発明は、前記明るさを表す明るさ情報は、前記照射光の照度である。
【００１６】
請求項９記載の発明は、前記明るさを表す明るさ情報は、前記表示媒体の設置場所の天気情報である。
【００１７】
請求項１０記載の発明は、前記反射型の表示媒体は、一対の基板と、前記一対の基板間に封入された分散媒と、前記分散媒中に分散され且つ前記基板間に形成された電界に応じて前記基板間を移動するように前記基板間に封入された粒子群と、を備えた電気泳動型の表示媒体である。
【００１８】
請求項１１記載の発明は、前記制御手段は、前記表示媒体の少なくとも一部の予め定めた領域に白色の画像を表示させ、前記明るさを表す明るさ情報は、前記領域に照射された前記照射光に対する反射光を検出するために設けられた照度センサにより検出された前記反射光の照度である。
【００１９】
請求項１２記載の発明は、前記表示媒体は、色が異なる複数の粒子群を含み、前記制御手段は、前記表示媒体の少なくとも一部の予め定めた領域に前記複数の粒子群の色の画像を順次表示させ、前記明るさを表す明るさ情報は、前記領域に照射された前記照射光に対する反射光を検出するために設けられた照度センサにより順次検出された前記反射光の照度である。
【００２０】
請求項１３記載の発明は、前記表示媒体は、色が異なる複数の粒子群を含み、前記制御手段は、前記表示媒体の少なくとも一部の予め定めた領域に前記複数の粒子群の色の画像を表示させ、前記明るさを表す明るさ情報は、前記領域に照射された前記照射光に対する反射光のうち前記複数の粒子群の色の各々に分光感度を有する照度センサにより各々検出された複数の反射光の照度である。
【００２１】
請求項１４記載の発明は、前記表示媒体が四角形状であると共に、前記予め定めた領域は前記表示媒体の四隅の領域を含み、前記明るさを表す明るさ情報は、前記四隅の領域に各々照射された前記照射光に対する各反射光であって各々異なる方向からの反射光の照度である。
【００２２】
請求項１５記載の発明の表示媒体の駆動プログラムは、コンピュータを、請求項１〜１４の何れか１項に記載の表示媒体の駆動装置を構成する各手段として機能させるための表示媒体の駆動プログラムである。
【００２３】
請求項１６記載の表示装置は、反射型の表示媒体と、請求項１〜１４の何れか１項に記載の表示媒体の駆動装置と、を備える。
【発明の効果】
【００２４】
請求項１、１５、１６記載の発明によれば、反射型の表示媒体に照射される照射光の明るさに応じて画像の濃度を制御しない場合と比較して、グレアの発生を抑制することができる、という効果を有する。
【００２５】
請求項２記載の発明によれば、照射光の明るさの度合いに関係なく、予め定めた範囲の表示色の濃度を高くする度合いを固定にした場合と比較して、画像が必要以上に暗くなるのを防ぐことができる、という効果を有する。
【００２６】
請求項３記載の発明によれば、全濃度範囲の表示色の濃度を制御する場合と比較して、画像全体が暗くなってしまうのを防ぐことができる、という効果を有する。
【００２７】
請求項４記載の発明によれば、一部の濃度範囲の表示色の濃度を制御する場合と比較して、画像全体のバランスを崩すことなくグレアが発生するのを抑制することができる、という効果を有する。
【００２８】
請求項５、６記載の発明によれば、明暗補正及びガンマ補正以外の補正により予め定めた範囲の表示色の濃度を制御する場合と比較して、簡単な制御でグレアの発生を防ぐことができる、という効果を有する。
【００２９】
請求項７記載の発明によれば、予め定めた範囲の表示色が白色を含まない場合と比較して、よりグレアの発生を抑制することができる、という効果を有する。
【００３０】
請求項８記載の発明によれば、照射光の照度を明るさ情報として用いない場合と比較して、よりグレアの発生を抑制することができる、という効果を有する。
【００３１】
請求項９記載の発明によれば、天気情報を明るさ情報として用いない場合と比較して、明るさ情報を取得する明るさ情報取得部のコストを低減することができる、という効果を有する。
【００３２】
請求項１０記載の発明によれば、電気泳動型でない表示媒体を用いた場合と比較して、よりグレアの発生を抑制することができる、という効果を有する。
【００３３】
請求項１１記載の発明によれば、直接検出された照射光の照度を明るさ情報とした場合と比較して、精度良くグレアの発生を抑制することができる、という効果を有する。
【００３４】
請求項１２記載の発明によれば、白色画像の反射光の照度を明るさ情報とした場合と比較して、照射光の影響による画像の色ずれを補正することができる、という効果を有する。
【００３５】
請求項１３記載の発明によれば、各粒子群の色の画像を順次表示させる場合と比較して、処理時間を短縮することができる、という効果を有する。
【００３６】
請求項１４記載の発明によれば、表示媒体の四隅の領域に各々照射された照射光に対する同一方向からの反射光の照度を明るさ情報とした場合と比較して、精度良くグレアの発生を抑制することができる、という効果を有する。
【図面の簡単な説明】
【００３７】
【図１】表示装置の概略構成図である。
【図２】各泳動粒子の電圧印加特性を示す図である。
【図３】各泳動粒子の電圧印加特性の他の例を示す図である。
【図４】制御部をコンピュータで構成した場合のブロック図である。
【図５】制御部で実行される処理のフローチャートである。
【図６】明暗補正の入出力特性を示す図である。
【図７】明暗補正の入出力特性の他の例を示す図である。
【図８】ガンマ補正の入出力特性を示す図である。
【図９】ガンマ補正の入出力特性の他の例を示す図である。
【図１０】照度と下地反射量との関係を示す図である。
【図１１】照度と下地白色度との関係を示す図である。
【図１２】第２実施形態に係る照度センサの配置を示す斜視図である。
【図１３】第２実施形態に係る照度センサの配置を示す平面図である。
【図１４】第２実施形態に係る制御部で実行される処理のフローチャートである。
【図１５】第３実施形態に係る制御部で実行される処理のフローチャートである。
【発明を実施するための形態】
【００３８】
（第１実施形態）
図１は、第１実施形態に係る表示装置１００を概略的に示した図である。この表示装置１００は、反射型の表示媒体１０と、表示媒体１０を駆動する駆動装置２０と、を備えている。ここで、反射型の表示媒体１０とは、太陽や蛍光灯等の照明器具から発せられる光を反射することで画像を表示する方式の表示媒体を指し、例えば、所謂電気泳動方式を用いた表示媒体、コレステリック液晶を用いた表示媒体等がある。本実施形態では、反射型の表示媒体１０の一例として、電気泳動方式の表示媒体を用いた場合について説明するが、これに限らず、反射型の表示媒体であれば他の方式の表示媒体を用いてもよい。
【００３９】
駆動装置２０は、表示媒体１０の表示側電極３と背面側電極４との電極間に電圧を印加する電圧印加部３０と、表示媒体１０に表示させる画像の色情報に応じて電圧印加部３０を制御する制御部４０と、表示媒体１０に照射される照射光の明るさを表す明るさ情報を取得する明るさ情報取得部４２と、を備えている。
【００４０】
表示媒体１０は、画像表示面とされる透光性を有する表示基板１と、非表示面とされる背面基板２と、が間隙を持って対向して配置されている。また、表示基板１と背面基板２との基板間を予め定めた間隔に保持すると共に、基板間を複数のセルに区画する間隙部材５が設けられており、表示媒体の面内の粒子群が偏るのを防止している。なお、図１では説明を簡単にするために１つのセルについて示した。また、表示基板１及び背面基板２が共に透光性を有するようにしてもよい。
【００４１】
また、本実施形態では、一例として、表示側電極３は表示基板１の全面に形成された共通電極であると共に背面側電極４は複数の孤立電極で構成され、所謂アクティブマトリクス駆動に対応した電極構成とする。また、複数の孤立電極の各々に対応して画素が形成されるが、画素とセルは一致していても、一致していなくてもよい。
【００４２】
セル内には、例えば、絶縁性液体で構成された透明の分散媒６と、分散媒６中に分散されたシアン色粒子群１１Ｃ（以下、シアン粒子Ｃともいう）、マゼンタ色粒子群１１Ｍ（以下、マゼンタ粒子Ｍともいう）、イエロー色粒子群１１Ｙ（以下、イエロー粒子Ｙという）、及び白色粒子群１２Ｗ（以下、白色粒子Ｗともいう）が封入されている。本実施形態では、基板間を移動する着色粒子群としてシアン、マゼンタ、及びイエローの３種類の着色粒子群を備えた場合について説明するが、色の種類はこれらに限られるものではない。また、基板間を移動する着色粒子群は２種類であってもよいし、４種類以上であってもよい。
【００４３】
図２には、一例として全て正に帯電されたイエロー粒子Ｙ、マゼンタ粒子Ｍ、及びシアン粒子Ｃを表示基板１側、背面基板２側に移動させるために必要な印加電圧の特性を示した。図２では、イエロー粒子Ｙの電圧−表示濃度特性を特性５０Ｙ、マゼンタ粒子の電圧−表示濃度特性を特性５０Ｍ、シアン粒子Ｃの電圧−表示濃度特性を特性５０Ｃで表わしている。また、図２は、表示側電極３をグランド（０Ｖ）として背面側電極４に印加された電圧と、各粒子群による表示濃度との関係を示したものである。
【００４４】
図２に示すように、背面基板２側のイエロー粒子Ｙが表示基板１側へ移動開始する電界を発生させるための移動開始電圧（閾値電圧）は＋Ｖ１ａであり、表示基板１側のイエロー粒子Ｙが背面基板２側へ移動開始する移動開始電圧は−Ｖ１ａである。従って、＋Ｖ１ａ以上の電圧を印加することで背面基板２側のイエロー粒子Ｙが表示基板１側へ移動し、−Ｖ１ａ以下の電圧を印加することで表示基板１側のイエロー粒子Ｙが背面基板２側へ移動する。また、背面基板２側のイエロー粒子Ｙが全て表示基板１側へ移動する電界を発生させるための閾値電圧は＋Ｖ１であり、表示基板１側のイエロー粒子Ｙが全て背面基板２側へ移動する電界を発生させるための閾値電圧は−Ｖ１である。
【００４５】
そして、背面基板２側から表示基板１側へ移動させるイエロー粒子Ｙの粒子量は、例えば印加する電圧のパルス幅（電圧印加時間）を同一にした場合には、印加する電圧の電圧値を変えることで制御される（電圧値変調）。例えば、背面基板２側から表示基板１側へ移動させるイエロー粒子Ｙの粒子量を制御する場合、印加する電圧のパルス幅は同一で、電圧値を＋Ｖ１ａ以上の任意の電圧値とすることにより、その電圧値に応じた粒子量のイエロー粒子Ｙを表示基板１側へ移動させられる。これにより、イエロー粒子Ｙの階調表示が制御される。表示基板１側のイエロー粒子Ｙを背面基板２側へ移動させる場合の粒子量についても同様である。
【００４６】
なお、印加する電圧の電圧値を同一にして、パルス幅を変えることで移動する粒子の粒子量を制御し、階調表示を制御するようにしてもよい（パルス幅変調）。例えば、背面基板２側から表示基板１側へ移動させるイエロー粒子Ｙの粒子量を制御する場合において、印加する電圧の電圧値を＋Ｖ１ａ以上の予め定めた電圧値とした場合、そのパルス幅が長くなるに従って表示基板１側へ移動するイエロー粒子Ｙの粒子量が多くなる。従って、電圧値を固定にして、パルス幅を階調に応じた長さのパルス幅とすることにより、イエロー粒子Ｙの階調表示が制御される。本実施形態では、一例として、電圧値変調により、移動する粒子の粒子量を制御する場合について説明する。なお、以下で説明するシアン粒子Ｃ及びマゼンタ粒子Ｍについても同様である。
【００４７】
図２に示すように、背面基板２側のシアン粒子Ｃが表示基板１側へ移動開始する電界を発生させるための移動開始電圧は＋Ｖ２ａであり、表示基板１側のシアン粒子Ｃが背面基板２側へ移動開始する電界を発生させるための移動開始電圧は−Ｖ２ａである。従って、＋Ｖ２ａ以上の電圧を印加することで背面基板２側のシアン粒子Ｃが表示基板１側へ移動し、−Ｖ２ａ以下の電圧を印加することで表示基板１側のシアン粒子Ｃが背面基板２側へ移動する。また、背面基板２側のシアン粒子Ｃが全て表示基板１側へ移動する電界を発生させるための閾値電圧は＋Ｖ２であり、表示基板１側のシアン粒子Ｃが全て背面基板２側へ移動する電界を発生させるための閾値電圧は−Ｖ２である。
【００４８】
そして、背面基板２側から表示基板１側へ移動させるシアン粒子Ｃの粒子量は、前述したイエロー粒子Ｙと同様に、電圧値変調又はパルス幅変調により制御される。例えば、背面基板２側から表示基板１側へ移動させるシアン粒子Ｃの粒子量を電圧値変調により制御する場合、印加する電圧のパルス幅は同一で、電圧値を＋Ｖ２ａ以上の任意の電圧値とすることにより、その電圧値に応じた粒子量のシアン粒子Ｃを表示基板１側へ移動させられる。これにより、シアン粒子Ｃの階調表示が制御される。
【００４９】
なお、図２に示すように、｜Ｖ１｜＜｜Ｖ２｜であり、イエロー粒子Ｙの閾値電圧の電圧値の絶対値よりもシアン粒子Ｃの閾値電圧の電圧値の絶対値の方が大きい。
【００５０】
図２に示すように、背面基板２側のマゼンタ粒子Ｍが表示基板１側へ移動開始する電界を発生させるための移動開始電圧は＋Ｖ３ａであり、表示基板１側のマゼンタ粒子Ｍが背面基板２側へ移動開始する電界を発生させるための移動開始電圧は−Ｖ３ａである。従って、＋Ｖ３ａ以上の電圧を印加することで背面基板２側のマゼンタ粒子Ｍが表示基板１側へ移動し、−Ｖ３ａ以下の電圧を印加することで表示基板１側のマゼンタ粒子Ｍが背面基板２側へ移動する。また、背面基板２側のマゼンタ粒子Ｍが全て表示基板１側へ移動する電界を発生させるための閾値電圧は＋Ｖ３であり、表示基板１側のマゼンタ粒子Ｍが全て背面基板２側へ移動する電界を発生させるための閾値電圧は−Ｖ３である。
【００５１】
そして、背面基板２側から表示基板１側へ移動させるマゼンタ粒子Ｍの粒子量は、前述したイエロー粒子Ｙ及びシアン粒子Ｃと同様に、電圧値変調又はパルス幅変調により制御される。例えば、背面基板２側から表示基板１側へ移動させるマゼンタ粒子Ｍの粒子量を電圧値変調により制御する場合、印加する電圧のパルス幅は同一で、電圧値を＋Ｖ３ａ以上の任意の電圧値とすることにより、その電圧値に応じた粒子量のマゼンタ粒子Ｍを表示基板１側へ移動させられる。これにより、マゼンタ粒子Ｍの階調表示が制御される。
【００５２】
なお、図２に示すように、｜Ｖ２｜＜｜Ｖ３｜であり、シアン粒子Ｃの閾値電圧の電圧値の絶対値よりもマゼンタ粒子Ｍの閾値電圧の電圧値の絶対値の方が大きい。
【００５３】
本実施形態では、イエロー粒子Ｙ、シアン粒子Ｃ、及びマゼンタ粒子Ｍが全て正に帯電された場合について説明したが、帯電極性はこれに限られない。例えばイエロー粒子Ｙ及びマゼンタ粒子Ｃが正に帯電され、シアン粒子Ｃが負に帯電されていてもよい。この場合、印加電圧と表示濃度との関係は図３に示すような関係となる。
【００５４】
また、本実施形態に係るシアン粒子Ｃ及びマゼンタ粒子Ｍの粒径は、例えば、イエロー粒子Ｙの粒径よりも小さく、イエロー粒子Ｙが何れかの基板に付着し凝集した状態であっても、凝集したイエロー粒子Ｙの間隙をすり抜けられる程度の粒径とされるが、これに限らず、各粒子の帯電極性及び応答性等に応じて適宜設定すればよい。
【００５５】
一方、白色粒子Ｗは、イエロー粒子Ｙ、マゼンタ粒子Ｍ、及びシアン粒子Ｃの着色粒子に比べて帯電量が少ないか、又は無帯電の粒子である。そのため、着色粒子を表示基板１及び背面基板２のうち何れか一方の基板まで泳動させる電圧が表示側電極３と背面側電極４との電極間に印加されても、着色粒子の泳動速度に比べて白色粒子Ｗの泳動速度は遅く、白色粒子Ｗは何れの基板にも付着することなく分散媒６中を浮遊する。このため、イエロー粒子Ｙ、マゼンタ粒子Ｍ、及びシアン粒子Ｃの着色粒子全てを背面基板２側へ移動させることにより全面白色表示となる。すなわち、表示媒体１０は、下地の色が白色の表示媒体である。なお、下地の色は白色に限られるものではない。すなわち、分散媒６中を浮遊する粒子として白色以外の色の粒子を用いても良い。また、浮遊粒子を用いない構成の表示媒体を用いても良い。
【００５６】
駆動装置２０（電圧印加部３０及び制御部４０）は、表示させる画像の色情報に応じた電圧を表示側電極３及び背面側電極４の電極間に印加して前記色情報に応じた量の着色粒子を移動させることにより表示媒体１０に画像を表示する。
【００５７】
電圧印加部３０は、表示側電極３及び背面側電極４に電圧を印加するための電圧印加装置であり、表示側電極３及び背面側電極４にそれぞれ電気的に接続されると共に、制御部４０と接続される。電圧印加部３０は、制御部４０からの指示に従い、表示側電極３及び背面側電極４に電圧を印加する。
【００５８】
制御部４０は、図４に示すように、例えばコンピュータ４０として構成される。コンピュータ４０は、ＣＰＵ（Ｃｅｎｔｒａｌ  Ｐｒｏｃｅｓｓｉｎｇ  Ｕｎｉｔ）４０１、ＲＯＭ（Ｒｅａｄ  Ｏｎｌｙ  Ｍｅｍｏｒｙ）４０２、ＲＡＭ（Ｒａｎｄｏｍ  Ａｃｃｅｓｓ  Ｍｅｍｏｒｙ）４０３、不揮発性メモリ４０４、及び入出力インターフェース（Ｉ／Ｏ）４０５がバス４０６を介して各々接続された構成であり、Ｉ／Ｏ４０５には電圧印加部３０が接続されている。この場合、後述する表示媒体１０の駆動処理をコンピュータ４０に実行させる駆動プログラムを、例えば不揮発性メモリ４０４に書き込んでおき、これをＣＰＵ４０１が読み込んで実行する。なお、駆動プログラムは、ＣＤ−ＲＯＭ等の記録媒体により提供するようにしてもよい。
【００５９】
明るさ情報取得部４２は、表示媒体１０に照射される照射光の明るさを表す明るさ情報を取得する。本実施形態では、一例として、明るさ情報取得部４２として、表示媒体１０に照射される照射光の照度を検出する照度センサを用いた場合について説明する。この場合、照度センサは、表示媒体１０に照射される照射光の明るさ情報として照度（ルクス）を検出する。照度センサは、表示媒体１０に照射される照射光の照度を検出できるように、表示媒体１０の近傍に配置される。
【００６０】
次に、本実施形態の作用として、制御部４０のＣＰＵ４０１で実行される制御について図５に示すフローチャートを参照して説明する。
【００６１】
まず、ステップＳ１０では、表示媒体１０に表示させるべき画像の色情報、すなわちイエロー、マゼンタ、シアンの各色の色情報を例えばＩ／Ｏ４０５を介して図示しない外部装置から取得する。
【００６２】
ステップＳ１２では、明るさ情報取得部４２が検出した明るさ情報としての照度を取得する。
【００６３】
ステップＳ１４では、ステップＳ１２で取得した照度が予め定めた閾値以上であるか否かを判断する。閾値は、照度が閾値以上の場合にグレアが発生する可能性がある予め定めた範囲の表示色についてグレアが発生すると判断できる値に設定される。従って、照度が予め定めた閾値以上の場合、すなわちグレアが発生する可能性がある予め定めた範囲の表示色についてグレアが発生する可能性がある場合にはステップＳ１６へ移行する。一方、照度が予め定めた閾値未満の場合、すなわちグレアが発生する可能性がある予め定めた範囲の表示色についてグレアが発生する可能性がない場合にはステップＳ２０へ移行する。なお、グレアが発生する可能性がある予め定めた範囲の表示色には、例えば表示媒体１０の下地の色となる白色及び白色に近い明るい色も含まれる。
【００６４】
ステップＳ１６では、ステップＳ１２で取得した表示媒体１０に照射される照射光の照度に基づいて、ステップＳ１０で取得した３色の色情報（画素値）に対して明暗補正処理を実行する。例えば、検出した照度が高くなるに従って画像の濃度が高くなるように、ＣＭＹの各色の色情報を明暗補正する。すなわち、検出した照度が高くなるに従って、照射光に対する下地の色の反射量が低下するように、画像の濃度を高くするような明暗補正を行う。これにより、グレアの発生が抑えられる。
【００６５】
具体的には、図６に示すように、明暗補正を行わない場合の通常の入出力特性６０を、検出した照度が高くなるに従って上側にシフトした入出力特性６２、すなわち補正した入出力特性６２により各色の色情報を補正する。図６は、各色の色情報が８ビット（２５６階調）の場合の例であり、値が小さいほど濃度が低く、値が大きいほど濃度が高い場合の例である。また、通常の入出力特性６０は、ステップＳ１０で取得した色情報Ｃｉｎを補正せずにそのまま色情報Ｃｏｕｔとして電圧印加部３０に出力する特性である。この通常の入出力特性６０から補正後の入出力特性６２へシフトさせる際のシフト量６４は、ステップＳ１２で取得した照度が高くなるに従って大きくなるように予め設定される。例えば、照度とシフト量６４との第１の対応関係を予め定めておき、この第１の対応関係を用いて、検出された照度に対応したシフト量６４が設定され、補正後の入出力特性６２が設定される。
【００６６】
図６の例では、ステップＳ１０で取得した色情報Ｃｉｎが‘５０’の場合、‘１００’に補正される。すなわち、濃度が高くなるように補正される。これにより、グレアが発生する可能性がある予め定めた範囲の表示色の画素を含む画像全体が暗くなる方向に補正され、画像全体のバランスを崩すことなくグレアが抑制される。また、照度に関係なく一律にシフト量６４を設定するのではなく、照度に応じてシフト量６４を設定するため、不必要に画像が暗くなってしまうのが抑制される。
【００６７】
なお、上記のように、照度とシフト量６４との第１の対応関係をイエロー、マゼンタ、及びシアンの各色で同一としてもよいが、色毎に第１の対応関係を設定してもよい。すなわち、グレアが発生する可能性がある予め定めた範囲の表示色についてグレアの発生が効果的に抑制されるように、第１の対応関係を色毎に設定するようにしてもよい。
【００６８】
また、例えば図７に示すように、低濃度側の色情報Ｃｉｎについては、補正後の色情報Ｃｏｕｔを予め定めた固定値としてもよい。この場合も、照度が高くなるに従って固定値が大きくなるようにしてもよい。図７の例では、‘０’〜‘４９’までの色情報Ｃｉｎが、グレアが発生する可能性がある予め定めた範囲の表示色であるとして設定され、その範囲のみ固定値‘５０’に補正される。また、色情報が‘５０’以上の色は通常の入出力特性６０と同一である。このように、グレアが発生する可能性がある一部の濃度範囲の表示色の画素の色情報のみが補正されるため、画像全体が暗くなってしまうのが抑制される。
【００６９】
ステップＳ１８では、ステップＳ１２で取得した表示媒体１０に照射される照射光の照度に基づいて、ステップＳ１６の明暗補正後の３色の色情報（画素値）に対してガンマ補正処理を実行する。例えば、検出した照度が高くなるに従って画像の濃度が高くなるように、ＣＭＹの各色の色情報をガンマ補正する。すなわち、検出した照度が高くなるに従って、照射光に対する下地の色の反射量が低下するように、画像の濃度を高くするようなガンマ補正を行う。これにより、グレアの発生が抑えられる。
【００７０】
具体的には、図８に示すように、ガンマ補正を行わない場合の通常の入出力特性７０を、検出した照度が高くなるに従って上側にシフトした入出力特性７２、すなわち補正した入出力特性７２により各色の色情報を補正する。この通常の入出力特性７０から補正後の入出力特性７２へシフトさせる際のシフト量７４は、ステップＳ１２で取得した照度が高くなるに従って大きくなるように予め設定される。例えば、照度とシフト量７４との第２の対応関係を予め定めておき、この第２の対応関係を用いて、検出された照度に対応したシフト量７４が設定され、補正後の入出力特性７２が設定される。このように、濃度範囲全体について濃度が高くなるように補正されるため、グレアが発生する可能性がある予め定めた範囲の表示色の画素を含む画像全体が暗くなる方向に補正され、画像全体のバランスを崩すことなくグレアが抑制される。また、照度に関係なく一律にシフト量７４を設定するのではなく、照度に応じてシフト量７４を設定するため、不必要に画像が暗くなってしまうのが抑制される。
【００７１】
なお、上記のように、照度とシフト量７４との第２の対応関係をイエロー、マゼンタ、及びシアンの各色で同一としてもよいが、色毎に第２の対応関係を設定してもよい。すなわち、グレアが発生する可能性がある予め定めた範囲の表示色についてグレアの発生が効果的に抑制されるように、第２の対応関係を色毎に設定するようにしてもよい。
【００７２】
また、明暗補正と同様に、例えば図９に示すように、低濃度側の色情報Ｃｉｎについては、補正後の色情報Ｃｏｕｔを予め定めた固定値としてもよい。この場合も、照度が高くなるに従って固定値が大きくなるようにしてもよい。図９の例では、色情報が‘０’〜‘１２４’までの色が、グレアが発生する可能性がある予め定めた範囲の表示色であるとして、その範囲のみ固定値‘５０’に補正される。また、色情報が‘１２５’以上の色は通常の入出力特性７０と同一である。このように、グレアが発生する可能性がある一部の濃度範囲の表示色の画素の色情報のみが補正されるため、画像全体が暗くなってしまうのが抑制される。
【００７３】
なお、明暗補正における第１の対応関係及びガンマ補正における第２の対応関係は、グレアが発生する可能性がある予め定めた範囲の表示色についてグレアの発生が効果的に抑制されるように最適な組み合わせで設定される。
【００７４】
ステップＳ２０では、ステップＳ１６、Ｓ１８で明暗補正及びガンマ補正を行った場合には、補正後の色情報を電圧印加部３０に出力し、補正を行っていない場合には、ステップＳ１０で取得した色情報をそのまま電圧印加部３０に出力する。
【００７５】
このように、本実施形態では、検出した照度がグレアが発生する可能性がある閾値以上の場合には、照度に応じて画像の濃度を高くするため、グレアが発生しやすい色、例えば下地の色である白色の白色度が低下する。なお、白色度とは、例えばＪＩＳ８７１５、ＪＩＳ８１４８、及びＩＳＯ２４７０等で定義される白色度をいう。
【００７６】
例えば図１０に示すように、照度と下地の白色部分の照射光に対する反射量との関係は、従来の特性８０では、照度が高くなると下地の白色部分の反射量も高くなる。これに対し、本実施形態では、上記のような明暗補正及びガンマ補正を実行することにより、照度が高くなっても下地の白色部分の反射量が高くなるのが抑制された特性８２となる。
【００７７】
また、図１１に示すように、照度と下地の白色部分の白色度との関係は、従来の特性９０では、照度が高くなっても白色度が一定であるが、本実施形態では、上記のような処理を実行することにより、照度が高くなると下地の白色部分の白色度が低下した特性９２となる。これにより、例えば表示媒体１０が太陽光下に設置され、表示媒体１０に照射される照射光の照度が高く、通常ではグレアが発生するような環境下においても、グレアの発生が抑制される。
【００７８】
なお、本実施形態では、明暗補正及びガンマ補正の両方を実行する場合について説明したが、何れか一方のみを実行するようにしてもよい。この場合、明暗補正のみ実行する場合には、グレアが発生する可能性がある予め定めた範囲の表示色についてグレアの発生が効果的に抑制されるように第１の対応関係が最適に設定され、ガンマ補正のみ実行する場合には、グレアが発生する可能性がある予め定めた範囲の表示色についてグレアの発生が効果的に抑制されるように第２の対応関係が最適に設定される。
【００７９】
また、本実施形態では、色情報の入出力特性を補正することにより明暗補正及びガンマ補正を行ってグレアの発生を抑制する場合について説明したが、例えば、表示媒体１０に表示させる画像の解析結果に基づいてグレアの発生を抑制するようにしてもよい。例えば、表示媒体１０に表示させる画像から、グレアが発生する可能性がある予め定めた範囲の表示色の領域であって、グレアが発生する可能性がある面積を有する領域（例えば背景領域）を抽出し、抽出した領域の画素の濃度を高くする。これにより、グレアが発生する可能性がある面積を有する領域の画像が暗くなり、グレアの発生が抑制される。
【００８０】
また、本実施形態では、明るさ情報として照射光の照度を検出する場合について説明したが、照射光の光量、強度等の他の明るさを表す物理量を検出するようにしてもよい。
【００８１】
また、明るさ情報として天気情報を取得するようにしてもよい。この場合、明るさ情報取得部４２は、例えばインターネット等に接続する機能を備えた構成とし、表示媒体１０が設置された位置に対応した天気情報を取得する。そして、制御部４０は、取得した天気情報に基づいて色情報を補正する。例えば、取得した天気が晴れの場合は、明暗補正においては入出力特性６０を入出力特性６２にシフトして色情報を補正し、ガンマ補正においては、入出力特性７０を入出力特性７２にシフトして色情報を補正する。これにより、天気が晴れでグレアが発生しやすい環境下においても、グレアが発生するのが抑制される。
【００８２】
なお、本実施形態で説明した表示装置１００の構成（図１参照）は一例であり、本発明の主旨を逸脱しない範囲内において不要な部分を削除したり、新たな部分を追加したりしてもよいことは言うまでもない。
【００８３】
（第２実施形態）
次に、本発明の第２実施形態について説明する。第２実施形態の表示装置が第１実施形態の表示装置１００と異なるのは、図１２に示すように、明るさ情報取得部４２が、複数（図１２では一例として４個）の照度センサ４２Ａ〜４２Ｄを含んで構成されている点である。
【００８４】
図１２に示すように、表示媒体１０は四角形状であり、表示媒体１０の四隅に４個の照度センサ４２Ａ〜４２Ｄが設けられている。照度センサ４２Ａ〜４２Ｄは、表示媒体１０の四隅の予め定めた領域４４Ａ〜４４Ｄに照射された照射光に対する反射光を各々検出する。
【００８５】
また、照度センサ４２Ａ〜４２Ｄは、図１３に示すように、表示媒体１０を上方から見た場合に、受光面が互いに異なる方向を向くように配置されている。具体的には、照度センサ４２Ａは、領域４４Ａに照射された照射光に対する反射光のうち矢印Ａ方向に反射する反射光を受光するように配置されている。同様に、照度センサ４２Ｂは、領域４４Ｂに照射された照射光に対する反射光のうち矢印Ｂ方向に反射する反射光を受光するように、照度センサ４２Ｃは、領域４４Ｃに照射された照射光に対する反射光のうち矢印Ｃ方向に反射する反射光を受光するように、照度センサ４２Ｄは、領域４４Ｄに照射された照射光に対する反射光のうち矢印Ｄ方向に反射する反射光を受光するように各々配置されている。
【００８６】
次に、本実施形態の作用として、制御部４０のＣＰＵ４０１で実行される制御について図１４に示すフローチャートを参照して説明する。
【００８７】
図１４に示すフローチャートが第１実施形態で説明した図５に示すフローチャートと異なるのは、ステップＳ１１、Ｓ１３の処理が追加されている点等であり、以下では、図５に示すフローチャートと異なる点を中心に説明する。
【００８８】
ステップＳ１０は、図５に示すフローチャートのステップＳ１０と同一であるので説明は省略する。
【００８９】
ステップＳ１１では、表示媒体１０の領域４４Ａ〜４４Ｄの各々に、例えば濃度１００％の白色画像（ベタ画像）が表示されるように電圧印加部３０を制御する。
【００９０】
ステップＳ１２では、照度センサ４２Ａ〜４２Ｄにより検出された、領域４４Ａ〜４４Ｄに照射された照射光に対する反射光の照度を各々取得する。
【００９１】
ステップＳ１３では、照度センサ４２Ａ〜４２Ｄにより検出された反射光の照度の平均値を算出する。
【００９２】
ステップＳ１４では、ステップＳ１３で算出した反射光の照度の平均値が予め定めた閾値以上であるか否かを判断する。以降の処理は第１実施形態と同様であるので説明は省略する。
【００９３】
このように、本実施形態では、表示媒体１０の四隅に白色画像を表示させ、照度センサ４２Ａ〜４２Ｄにより各領域の反射光の照度を直接検出して明暗補正等を行うので、グレアの発生がより高い精度で抑えられる。
【００９４】
さらに、本実施形態では、照度センサ４２Ａ〜４４Ａは、互いに異なる方向からの反射光を検出し、検出された各反射光の平均値によりグレアが発生するか否かを判断するので、例えば同一方向の反射光を検出する場合と比較してグレアの発生が精度良く抑えられる。
【００９５】
なお、本実施形態では４個の照度センサを設けた場合について説明したが、照度センサの数はこれに限られるものではなく、１〜３個、５個以上であってもよい。また、白色画像を表示させる領域も表示媒体１０の四隅に限られるものではなく、表示媒体１０の周縁部であれば他の位置に設けても良い。
【００９６】
（第３実施形態）
次に、本発明の第３実施形態について説明する。第３実施形態に係る表示装置は、第２実施形態に係る表示装置と同一であるので説明は省略する。
【００９７】
次に、本実施形態の作用として、制御部４０のＣＰＵ４０１で実行される制御について図１５に示すフローチャートを参照して説明する。
【００９８】
図１３に示すフローチャートが第１実施形態で説明した図１４に示すフローチャートと異なるのは、ステップＳ１０Ａ〜Ｓ１０Ｅの処理が追加されている点等であり、以下では、図１４に示すフローチャートと異なる点を中心に説明する。
【００９９】
ステップＳ１０は、図１４に示すフローチャートのステップＳ１０と同一であるので説明は省略する。
【０１００】
ステップＳ１０Ａでは、表示媒体１０の領域４４Ａ〜４４Ｄの各々に、ＣＭＹの各粒子色から選択された選択粒子色（例えばシアン）の例えば濃度１００％の粒子色画像（ベタ画像）が表示されるように電圧印加部３０を制御する。
【０１０１】
ステップＳ１０Ｂでは、照度センサ４２Ａ〜４２Ｄにより検出された、領域４４Ａ〜４４Ｄに照射された照射光に対する反射光の照度、すなわち選択粒子色の濃度を各々取得する。
【０１０２】
ステップＳ１０Ｃでは、照度センサ４２Ａ〜４２Ｄにより検出された反射光の照度の平均値を算出する。
【０１０３】
ステップＳ１０Ｄでは、ステップＳ１０Ｃで算出した反射光の照度の平均値に基づいて、ステップＳ１０で取得した色情報のうち選択粒子色の色情報を補正する。具体的には、ステップＳ１０Ｃで算出した反射光の照度の平均値、すなわち選択粒子色の濃度と領域４４Ａ〜４４Ｄの各々に表示させた粒子色画像の濃度との差分に基づいて、色情報を補正する。この補正により、照射光の影響による色ずれが補正される。
【０１０４】
ステップＳ１０Ｅでは、ＣＭＹ全ての粒子色についてステップＳ１０Ａ〜Ｓ１０Ｄの処理を実行したか否かを判断し、ＣＭＹ全ての粒子色についてステップＳ１０Ａ〜Ｓ１０Ｄの処理を実行した場合はステップＳ１１へ移行し、未処理の粒子色が存在する場合はステップＳ１０Ａへ戻って未処理の粒子色を選択し、ステップＳ１０Ａ〜Ｓ１０Ｄの処理を実行する。
【０１０５】
このように、表示媒体１０の四隅の領域４４Ａ〜４４Ｄに各粒子色のベタ画像を順次表示して反射光の照度を検出することにより各粒子色の濃度を検出し、検出した濃度に基づいて色情報を補正するので、照射光の影響による色ずれが抑制される。
【０１０６】
なお、各粒子色について色情報を補正しても、グレアが発生する場合もあり得る。そこで、ステップＳ１１〜ステップＳ１８において、グレアの発生を抑制する処理を実行する。これらの処理は、図１４のステップＳ１１〜Ｓ１８と同一であるので説明は省略する。また、各粒子色について色情報を補正することによりグレアの発生が抑えられるのであれば、ステップＳ１１〜ステップＳ１８の処理は省略してもよい。
【０１０７】
なお、本実施形態では、領域４４Ａ〜４４Ｄに順次ＣＭＹのベタ画像を表示させて反射光の照度を各々検出する場合について説明したが、領域４４Ａ〜４４Ｄの各領域を各々３分割し、３分割した領域にＣＭＹのベタ画像を同時に表示させるようにしてもよい。この場合、ＣＭＹの各色に分光感度を有する照度センサを領域４４Ａ〜４４Ｄの各々設けて反射光の照度を検出するようにすればよい。この場合、各領域４４Ａ〜４４Ｄに設ける照度センサは、ＣＭＹの色毎に３個の照度センサを設けても良いし、ＣＭＹ全ての色に感度を有し、各色の反射光の照度を同時に検出可能な単一の照度センサを用いても良い。このような構成とすることにより、ＣＭＹのベタ画像を順次表示させる必要はなく、同時に表示すればよいので、処理時間が短縮される。
【符号の説明】
【０１０８】
１     表示基板
２     背面基板
３     表示側電極
４     背面側電極
５     間隙部材
６     分散媒
１０   表示媒体
１１Ｙ イエロー色粒子群
１１Ｃ シアン色粒子群
１１Ｍ マゼンタ色粒子群
１２Ｗ 白色粒子群
２０   駆動装置
３０   電圧印加部
４０   制御部
４２   明るさ情報取得部
１００ 表示装置
【要約】
【課題】反射型の表示媒体に照射される照射光の明るさに応じて画像の濃度を制御しない場合と比較して、グレアの発生を抑制することができる。
【解決手段】表示装置１００は、反射型の表示媒体１０及び表示媒体１０を駆動する駆動装置２０を備える。駆動装置２０は、表示媒体１０に電圧を印加する電圧印加部３０、電圧印加部３０を制御する制御部４０、及び表示媒体１０に照射される照射光の明るさを表す明るさ情報を取得する明るさ情報取得部４２を備える。制御部４０は、表示媒体１０に照射される照射光の明るさを表す明るさ情報に基づいて、表示媒体１０に表示される画像の表示色のうち、グレアが発生する可能性がある予め定めた範囲の表示色についてグレアの発生が抑制されるように、予め定めた範囲の表示色の濃度を制御する。
【選択図】図１【図１】
0005472524.tif 000002
【図２】
0005472524.tif 000003
【図３】
0005472524.tif 000004
【図４】
0005472524.tif 000005
【図５】
0005472524.tif 000006
【図６】
0005472524.tif 000007
【図７】
0005472524.tif 000008
【図８】
0005472524.tif 000009
【図９】
0005472524.tif 000010
【図１０】
0005472524.tif 000011
【図１１】
0005472524.tif 000012
【図１２】
0005472524.tif 000013
【図１３】
0005472524.tif 000014
【図１４】
0005472524.tif 000015
【図１５】
0005472524.tif 000016